【事件の表示】
　上記当事者間の登録第４３６４５９９号商標の登録取消審判事件について、次のとおり審決する。
【結　論】
　本件審判の請求は、成り立たない。
　審判費用は、請求人の負担とする。
【理　由】
第１　本件商標 
　本件登録第４３６４５９９号商標（以下「本件商標」という。）は、別掲のとおりの構成よりなり、平成３年７月２５日登録出願、第２４類「楽器」を指定商品として、同１２年３月３日に設定登録され、その後、同２１年１２月２日に指定商品を第９類「電子楽器用自動演奏プログラムを記憶させた電子回路及びＣＤ−ＲＯＭ」及び第１５類「楽器」とする指定商品の書換登録がされたものである。
　そして、本件審判の請求の登録は、令和２年１月１７日になされたものであり、商標法第５０条第２項に規定する「審判の請求の登録前３年以内」とは、平成２９年（２０１７年）１月１７日から令和２年（２０２０年）１月１６日までの期間（以下「本件要証期間」という。）である。
第２　請求人の主張
　請求人は、本件商標の指定商品中、第９類「電子楽器用自動演奏プログラムを記憶させた電子回路及びＣＤ−ＲＯＭ」についての登録を取り消す、審判費用は被請求人の負担とする、との審決を求め、その理由を要旨次のように述べ、証拠方法として甲第１号証ないし甲第１０号証（以下、証拠の表記に当たっては、「甲（乙）第○号証」を「甲（乙）○」のように、「第」及び「号証」を省略して記載する。）を提出している。
　１　請求の理由
　本件商標は、その指定商品中、第９類「電子楽器用自動演奏プログラムを記憶させた電子回路及びＣＤ−ＲＯＭ」（以下「取消請求商品」という。）について、継続して３年以上日本国内において、商標権者、専用使用権者又は通常使用権者のいずれも使用した事実が存しないから、その登録は商標法第５０条第１項の規定により取消しされるべきものである。
　２　答弁及び回答書等に対する弁駁
（１）乙１について
　ア　乙１は、本件要証期間内の使用を証明するものではない。
（ア）乙１のウェブサイトは、被請求人が、２０２０年２月４日に、インターネット上で閲覧しプリントアウトしたものであり、乙１の左上部に「２０２０／２／４」の日付が印刷されているが、同日は、本件要証期間内ではない。
（イ）なお、請求人が乙１のウェブサイトのキャッシュ（甲３）を調べたところ、当該ウェブサイトは、２０２０年１月２２日に取得（掲載）されたものであった。２０２０年１月２２日は、本件審判の審判番号通知が被請求人に通知された日であり、被請求人が本件審判の請求があったことを知った日である（甲２）。
　イ　乙１が２０１０年９月１５日から「Ａｍａｚｏｎ．ｃｏ．ｊｐ」に継続して掲載されていたかは、不明である。
（ア）被請求人は、乙１のウェブサイトに記載されている「Ａｍａｚｏｎ．ｃｏ．ｊｐでの取り扱い開始日２０１０／９／１５」を根拠に、電子ドラムのセット「ＹＡＭＡＨＡ　ＤＴＸ９００　〜ＳＴＵＤＩＯ〜」が２０１０年９月１５日から現在まで継続して販売されていたと主張する。
（イ）しかし、甲３のとおり、当該ウェブサイトは２０２０年１月２２日に取得（掲載）されたものであるが、当該ウェブサイトがそれ以前から継続して掲載されていたかは不明である。
（ウ）無効２０１８−８８０００４号事件について、当該事件の証拠によれば、２０１４年６月１９日付けの口コミが、旧製品に対してなされたものであるにもかかわらず（甲４）、新製品に対しても引き続き掲載されていた（甲５）。
　これを本件審判に当てはめれば、乙１のウェブサイトに掲載されている「取り扱い開始日」が、乙１に掲載されている製品「ＹＡＭＡＨＡ　ＤＴＸ９００　〜ＳＴＵＤＩＯ〜」と同一の製品についての取り扱い開始日であるか否かは、乙１だけでは不明である。
（エ）加えて、仮に、乙１のウェブサイトに掲載されている製品「ＹＡＭＡＨＡ　ＤＴＸ９００　〜ＳＴＵＤＩＯ〜」が、その取り扱い開始日の２０１０年９月１５日にＡｍａｚｏｎのウェブサイトに掲載されていたとしても、乙１のウェブサイトが２０２０年２月４日に存在していることを理由に、当該ウェブサイトが取り扱い開始日から、その印刷日まで継続して掲載されていたことの証拠にはならない。
（オ）さらに、乙１に掲載されている「取り扱い開始日」の２０１０年９月１５日の製品名が、「ＹＡＭＡＨＡ　ＤＴＸ９００　〜ＳＴＵＤＩＯ〜」であるのに対し、乙２（２０１５年８月作成）の製品名は「ＳＴＵＤＩＯ−９００」であり、乙３（２０２０年２月１１日印刷）の製品名は「ＳＴＵＤＩＯ」である。
　被請求人が答弁書において主張するとおり、これらは同じ製品であり、当該製品の製品名は、年の経過と共に変化している。
　かかる事実に鑑みれば、乙１のウェブサイトが２０１０年９月１５日から２０２０年２月４日まで、製品名が全く変えられずに継続して掲載されていたと考えることには無理がある。
（カ）以上のとおり、乙１に記載されている「Ａｍａｚｏｎ．ｃｏ．ｊｐでの取り扱い開始日２０１０／９／１５」を根拠とするのみでは、乙１のウェブサイトが２０１０年９月１５日から２０２０年２月４日まで、「Ａｍａｚｏｎ．ｃｏ．ｊｐ」に継続して掲載されていたものであるのかは、不明である。
（２）乙２について
　ア　被請求人が答弁書で主張するとおり、乙２のカタログが「２０１５年８月作成」のものであるとすれば、２０１５年８月は、本件要証期間内ではないので、乙２は、本件要証期間内の使用を証明するものではない。
　イ　請求人は、甲６ないし１０として、乙２が作成された２０１５年８月以降のカタログを提出する。
　甲６ないし９は、株式会社ヤマハミュージックジャパンの２０１６年１０月から２０１８年７月に作成されたカタログ「ＹＡＭＡＨＡ／ＥＬＥＣＴＲＯＮＩＣ　ＤＲＵＭＳ／ＤＴＸ／ｄｒｕｍｓ」等の写しであり、乙２が作成された年の翌年から作成されているにもかかわらず、「Ｃｈｏｏｓｅ　Ｙｏｕｒ　Ｓｔｙｌｅ」のページには、「ＳＴＵＤＩＯ−９００」なるドラムセットは掲載されていない。なお、当該カタログの他のページにも、「ＳＴＵＤＩＯ−９００」なるドラムセットは掲載されていないし、商標「ＳＴＵＤＩＯ」も使用されていない。
　また、甲１０は、株式会社ヤマハミュージックジャパンのカタログ「Ｙａｍａｈａ　Ｓｙｓｔｅｍ　Ｄｒｕｍｓ／ＧＥＮＥＲＡＬ　ＣＡＴＡＬＯＧ　２０１９−２０２０」の写しであり、２０２０年３月１６日にダウンロードしたものである。当該カタログは、本件審判の請求をした２０１９年１２月に作成されている。それにもかかわらず、当該カタログの「Ｃｈｏｏｓｅ　Ｙｏｕｒ　Ｓｔｙｌｅ」のページには、「ＳＴＵＤＩＯ−９００」なるドラムセットは掲載されていない。なお、当該カタログの他のページにも、「ＳＴＵＤＩＯ−９００」なるドラムセットは掲載されていないし、商標「ＳＴＵＤＩＯ」も使用されていない。
　ウ　以上のとおり、乙２のカタログによれば、「ＳＴＵＤＩＯ−９００」なるドラムセットは、２０１５年８月頃に販売されていたことがうかがえるが、それ以降に作成されたカタログ（甲６ないし１０）には、一切掲載されていない。
　よって、「ＳＴＵＤＩＯ−９００」なるドラムセットが、乙２が作成された２０１５年８月以降に販売されていたか否かは、不明である。
（３）乙３について
　被請求人が答弁書で主張するとおり、乙３のウェブサイトは、２０２０年２月１１日に被請求人がインターネット上で閲覧しプリントアウトしたものであり、乙３の左上部に「２０２０／２／１１」の日付が印刷されている。
　しかし、２０２０年２月１１日は、本件要証期間内ではない。
（４）取消請求商品についての使用について
　被請求人が答弁書等において使用を証明しようとしている商品は「電子ドラムのセット」であって、取消請求商品ではない。
（５）まとめ
　以上のとおり、被請求人が提出した証拠は、本件要証期間内の本件商標の使用を証明するものではない。
第３　被請求人の主張
　被請求人は、結論同旨の審決を求めると主張し、その理由を要旨次のように述べ、証拠方法として乙１ないし１０を提出している。
　１　答弁の理由
　被請求人は、本件要証期間内に日本国内において、本件商標と社会通念上同一と認められる商標を、取消請求商品について使用をしている。
（１）本件商標の使用事実
　ア　乙１は、「ａｍａｚｏｎ．ｃｏ．ｊｐ」のウェブサイトの抜粋である。ここに掲載され販売されている電子ドラムに、「ＹＡＭＡＨＡ　ＤＴＸ９００　〜ＳＴＵＤＩＯ〜」の商品名が表示されている。「ＹＡＭＡＨＡ　ＤＴＸ９００　〜ＳＴＵＤＩＯ〜」の表示は電子ドラムの写真の右側に添えて見出し的に表示されており、写真に示されている商品の標章を示すことは明らかである。また、当該ページには、価格及び発送予定が表示されており、さらに「この商品は、イケベ楽器店が販売、発送します。」との表示があることから、被請求人のディーラーの一つである株式会社池部楽器店（以下「イケベ楽器店」という。）が、被請求人の電子ドラムを当該ページ上で実際にオンライン販売していることが分かる。
　上記「ＳＴＵＤＩＯ」の使用についてさらに詳しく説明すると、そもそも電子ドラムは構成する打楽器や音源モジュールなどを自由に組み合わせて、一つの電子ドラムセットとして組み立て演奏するものであるが、被請求人は、従来より、ドラムパッドやシンバル等をあらかじめ所定の種類と数で組み合わせ、これらを音源モジュールに組み込ませることで電子ドラムとしてセット商品として販売している。電子ドラムのセット商品は、ドラムパッドやシンバル等の数や種類と音源モジュールの種類を適宜選択して組み合わせ、複数種類のセット商品に分類した上で、セットごとに個別の名称（標章）が付けられている。そのうちの一つが、乙１に示されている「ＳＴＵＤＩＯ」である。この点については、乙１の写真右側の商品説明中にも、「〜ＳＴＵＤＩＯ〜／練習スタジオやライブハウスで多くみられる２タム３シンバルのスタンダードなセットです。ジャンルを選ばずご使用頂けます。」との記載がある。
　イ　乙２は、被請求人の子会社である株式会社ヤマハミュージックジャパンのカタログ「Ｙａｍａｈａ　Ｓｙｓｔｅｍ　Ｄｒｕｍｓ／ＣＡＴＡＬＯＧ２０１５」であるが、電子ドラムのセットの「ＳＴＵＤＩＯ−９００」が掲載されている。当該カタログ中には、セット内容の詳細と販売価格が明示されており、当該商品を販売目的で広告宣伝を行っていることは明らかである。なお、乙２に掲載されている商品写真は、乙１に掲載されている商品写真と同一であり、同じ内容の商品について「ＳＴＵＤＩＯ−９００」の名称が表示されていることが分かる。
　ウ　乙３は、被請求人のウェブサイトからの抜粋である。この２ページ目（２／５）に電子ドラムセットの「ＳＴＵＤＩＯ」が掲載されている。このウェブサイトからも被請求人自身で「ＳＴＵＤＩＯ」を提供していることが明白である。ここには、セット内容の詳細と販売価格を明示していることから、当該商品を販売目的で広告宣伝を行っていることは明らかである。なお、乙３に掲載されている商品写真及びセット内容の詳細は、乙１に掲載されている商品写真、並びに乙２に掲載されている商品写真及びセット内容の詳細と同一であり、同じ内容の商品について「ＳＴＵＤＩＯ」の名称を統一して使用していることが分かる。
　エ　以上の乙１ないし３から明らかなように、被請求人は、自身で、又は子会社やディーラーを通じて、日本国内において、電子ドラムのセットを「ＳＴＵＤＩＯ」の商標で広告宣伝し、販売している。
（２）本件商標と社会通念上同一と認められる商標の使用
　乙１ないし３における「ＳＴＵＤＩＯ」及び「ＳＴＵＤＩＯ−９００」の商標と本件商標とが「社会通念上同一と認められる商標」であることについて説明する。
　まず、乙２の「ＳＴＵＤＩＯ−９００」の商標において、「−９００」の部分は単に商品記号・符号を表す識別力のない付記的な部分にすぎず、識別標識として機能するのは「ＳＴＵＤＩＯ」であることは明らかである。よって、以下、「ＳＴＵＤＩＯ」と本件商標の比較を行う。
　本件商標は「ＳＴＵＤＩＯ＼スタジオ」（以下、「＼」は改行を意味する。）の上下二段併記の構成であるのに対して、乙１ないし３の商標は「ＳＴＵＤＩＯ」であり、片仮名表記の「スタジオ」の有無で相違している。しかしながら、「ＳＴＵＤＩＯ」の英単語は我が国において非常によく知られた用語で、元来の意味のまま日本語化し「スタジオ」の称呼と観念で日常的に使用されていることから、乙１ないし３の商標「ＳＴＵＤＩＯ」と本件商標「ＳＴＵＤＩＯ＼スタジオ」とは称呼・観念を同一にするということができる。
　すなわち、乙１ないし３の商標は、本件商標と同一の称呼及び観念を生ずるから、本件商標「ＳＴＵＤＩＯ＼スタジオ」と自他商品の識別標識として同一の機能を果たしている。
　よって、乙１ないし３の「ＳＴＵＤＩＯ」の商標は、本件商標「ＳＴＵＤＩＯ＼スタジオ」と社会通念上同一と認められるものである。
（３）取消請求商品についての使用
　乙１ないし３の商標「ＳＴＵＤＩＯ」又は「ＳＴＵＤＩＯ−９００」を表示した商品は、乙１ないし３から明らかなように、電子ドラムのセットである。当該電子ドラムセットが具体的にどの打楽器や音源モジュールから構成されているかは、乙２及び乙３にセット内容の詳細が掲載されており、このうちの「ＤＴＸ９００Ｍ（ドラムトリガーモジュール）」が、取消請求商品の第９類「電子楽器用自動演奏プログラムを記憶させた電子回路及びＣＤ−ＲＯＭ」に該当するものである。乙１ないし３の商品写真中、一番左の四角形の商品が「ＤＴＸ９００Ｍ」である。
　ここで、「ＤＴＸ９００Ｍ」が第９類「電子楽器用自動演奏プログラムを記憶させた電子回路及びＣＤ−ＲＯＭ」に該当することを証明する書類として、「ドラムトリガーモジュール／ＤＴＸ９００／ＤＴＸ９００Ｍ　取扱説明書」（乙４）を添付する。通常、電子ドラムは、ドラムパッドやシンバルを叩くと、それを入力信号として、その入力信号に対応してモジュールの音源部に内蔵されているドラムやシンバルなどの楽器の音が出る仕組みとなっている。「ＤＴＸ９００Ｍ」には、乙４の７ページ及び３５ページに示されるように、楽器の音が内蔵された音源部に加えて、８７曲のソングデータがプリセットで内蔵されている。そして、乙４の６７ページに、「ソングの再生をスタートすると、これらのデータがＤＴＸ９００の内蔵音源に送られ、データに従って音が鳴るという仕組みです。」との表示があるが、これはソングデータを再生するとそのソングが自動演奏されるということであり、電子ドラム「ＳＴＵＤＩＯ」の構成品としての「ＤＴＸ９００Ｍ」は取消請求商品に該当する商品であることが分かる。
　よって、上記の「ＳＴＵＤＩＯ」又は「ＳＴＵＤＩＯ−９００」の使用は、取消請求商品である第９類「電子楽器用自動演奏プログラムを記憶させた電子回路及びＣＤ−ＲＯＭ」についての使用であることは明らかである。
（４）本件要証期間内の使用
　乙１は、被請求人が２０２０年２月４日に、インターネット上で閲覧、プリントアウトしたものなので、左上部に「２０２０／２／４」の日付が印刷されており、この日付の時点で電子ドラムのセット「ＳＴＵＤＩＯ」を、イケベ楽器店から購入できることを示している。ちなみに、令和２年３月９日時点で同じＵＲＬを確認しても、同じ商品が同じ価格で掲載されている。
　一方、乙１の２ページ目（２／４）の中央より少し下の「商品の情報」の「登録情報」の項目には、「Ａｍａｚｏｎ．ｃｏ．ｊｐでの取り扱い開始日２０１０／９／１５」と表示されている。すなわち、乙１に掲載の電子ドラムのセットは、２０１０年９月１５日から「ａｍａｚｏｎ．ｃｏ．ｊｐ」に掲載されて販売開始され、現時点でも依然として販売が続けられていることが分かる。
　さらに、乙２のカタログの裏表紙には「２０１５年８月作成」の記載があり、この時点で既に被請求人子会社により電子ドラムのセット「ＳＴＵＤＩＯ−９００」が提供され、販売されていたことが分かる。また、乙３は、表紙の左上部に「２０２０／２／１１」の日付が印刷されているように、２０２０年２月１１日に閲覧、プリントアウトしたものであり、このウェブサイトでは、電子ドラム「ＳＴＵＤＩＯ」を今日まで被請求人の商品として継続的に宣伝広告していることが分かる。
　以上のことから、本件審判請求の登録日は２０２０年１月１７日であるが、この３年前よりも以前から現時点に渡るまで、本件商標と社会通念上同一と認められる商標を付した商品が、インターネット上のサイトやカタログに掲載され、販売されていることは明白である。
（５）まとめ
　以上により、被請求人が、本件商標と社会通念上同一と認められる商標を、取消請求商品である第９類「電子楽器用自動演奏プログラムを記憶させた電子回路及びＣＤ−ＲＯＭ」について、本件要証期間内に日本国内において使用していた事実が十分明らかとなったものと考える。
　したがって、本件商標は商標法第５０条第１項の規定に基づき、その登録が取消されるべきものではない。
　２　令和２年４月１５日付け上申書における主張
　乙５は、被請求人のディーラーの一つであるイケベ楽器店が、「ＹＡＭＡＨＡ　ＤＴＸ９００　〜ＳＴＵＤＩＯ〜」の名称で電子ドラムセット商品を２０１０年から現在まで継続して販売していることを、イケベ楽器店秋葉原店のドラム販売責任者が証明した書類であり、「Ａｍａｚｏｎ」のショッピングサイトも含まれていることから、乙１を補足するものである。
　乙６は、イケベ楽器店秋葉原店の公式サイトである。
　３　令和２年８月２４日付け審尋に対する同年９月２８日付け回答書における主張
　被請求人が提出した証拠からは、本件要証期間内における本件商標の使用の事実を確認できない旨の合議体からの審尋に対し、被請求人は要旨以下のとおり回答した。
（１）本件商標の本件要証期間内の使用について
　被請求人は、主に乙１及び乙５により、本件商標の本件要証期間内の使用が確認できると考える。
　ア　乙１のウェブサイトでは、被請求人のディーラーの一つであるイケベ楽器店が電子ドラムセットの「ＳＴＵＤＩＯ」を販売しており、需要者はこのウェブサイト上で氏名、住所、支払方法等の情報を入力し手続きをすることにより、当該商品を購入することができる。この乙１におけるイケベ楽器店の行為は、商標法第２条第３項第８号に規定する行為に該当する。
　乙１の２ページ目の「Ａｍａｚｏｎ．ｃｏ．ｊｐでの取り扱い開始日　２０１０／９／１５」との記載から、「Ａｍａｚｏｎ」では、当該商品が本件要証期間後に販売開始されたものでなく、それ以前の少なくとも２０１０年より販売されていたものであることが分かる。乙１がプリントアウトされたのは２０２０年２月４日であるが、これは、請求人より本件審判の請求書の副本が被請求人に送達されたのが同年１月２４日（受領日１月２７日）であったため、本件商標の使用状況を確認するため被請求人によりプリントアウトされたからであり、このことは、少なくとも２０１０年より乙１のウェブサイトに掲載されて現在に至るまで「ＳＴＵＤＩＯ」の商標を表示した商品がインターネット上で広告され販売されていることを証するものである。よって、乙１に掲載の電子ドラムセット「ＳＴＵＤＩＯ」は、２０１０年９月１５日から「ａｍａｚｏｎ．ｃｏ．ｊｐ」に掲載されて販売開始され、現時点まで継続的に広告掲載され販売されていると考えるのが自然である。
　そして、乙５のイケベ楽器店の秋葉原店ドラム販売責任者による「商品販売状況に関する証明書」は、乙１のインターネット上での広告使用の事実を確認補足するため、追加で提出したものである。
　イ　これに対し、審尋は、乙５について、本件要証期間内に実店舗及びＡｍａｚｏｎを含むショッピングサイトにおいて、当該商品が販売及び掲載されていたことを客観的に裏付ける証左がない、としている。
　しかしながら、乙５においては、第三者であるイケベ楽器店により、電子ドラムセットの「ＹＡＭＡＨＡ　ＤＴＸ９００　〜ＳＴＵＤＩＯ〜」を、発売年の２０１０年以降、本件要証期間内も含め、現在まで継続して実店舗及びショッピングサイトで販売していること、「Ａｍａｚｏｎ」でも、取扱い開始日である２０１０年９月１５日より現在に至るまで継続して掲載していること、が明確に供述されており、当該ドラムセットが本件要証期間内に販売されていなかったと考える方に無理がある。
　ウ　そもそも、インターネット上の掲載については、その性質からして、過去の掲載を遡って確認したり、定期的にプリントアウトしてストックしたりしておくことは実務では不可能であり、また掲載期間を明確に示すような情報を掲載していることもまれであるため、既存の書類や情報だけでは、過去の掲載を示す証拠の入手は不可能な場合が多々ある。そうとすると、その代わりに、掲載の事実や状況について実情を把握している販売店などの関係者に供述してもらい、それを証拠とすることは至当なことである。
　乙５は、第三者が供述していること、及び販売社の担当者により押印された正式な書類であることからみて、イケベ楽器店が、発売年の２０１０年以降、本件要証期間内も含めて、現在まで継続して、実店舗及びＡｍａｚｏｎを含むショッピングサイトにおいて、「ＹＡＭＡＨＡ　ＤＴＸ９００　〜ＳＴＵＤＩＯ〜」を販売及び掲載していたことを、十分に客観的に裏付ける証左といえる。
（２）令和２年４月１３日付け弁駁書に対する反論
　ア　請求人は、乙１のウェブサイトのキャッシュ（甲３）の作成日（２０２０年１月２２日）が本件審判の審判番号通知が被請求人に通知された日であって、被請求人が本件審判の請求があったことを知った日である旨主張しているが、同日は、当該通知が特許庁より発送された日であり、被請求人がこれを受領するのは早くても翌日以降である。
　さらに、この事実は、被請求人が本件審判の請求があったことを知った日よりも前の２０２０年１月２２日の時点で、既に、乙１のウェブサイトには、電子ドラムセットの「ＳＴＵＤＩＯ」が掲載されていた、ということを証する。
　イ　請求人は、乙２のカタログ（２０１５年８月作成）以降のカタログには、「ＳＴＵＤＩＯ−９００」なるドラムセットは掲載されていないと主張する。
　電子ドラムセット「ＳＴＵＤＩＯ」は、乙２のカタログ作成の後に、次のモデルが発表され最新モデルではなくなったため、２０１６年以降のカタログには掲載されていないが、新しいモデルが出ても、直ちに旧モデルを廃番として切り替えるようなことはなく、電子ドラムセット「ＳＴＵＤＩＯ」の愛用者は、引き続きその構成品を交換したり補充したり、あるいはその音質や弾き心地などにより、旧モデルを購入することがあり得るから、たとえ新版カタログに掲載されていなくても販売継続することは不自然なことではない。
（３）追加証拠の提出及び主張
　イケベ楽器店は、「Ａｍａｚｏｎ」以外にも、「ＹＡＨＯＯ！ショッピング」でも電子ドラムセット「ＳＴＵＤＩＯ」を販売している（乙７）。
　４　令和２年１０月１日付け上申書における主張
　被請求人は、前記３のとおり、令和２年９月２８日付け回答書を提出したが、本件商標が本件要証期間内に使用されたことを立証する追加証拠が準備できたので、乙８及び乙９として提出する。
　乙８及び乙９は、「Ｗａｙｂａｃｋ　Ｍａｃｈｉｎｅ」を用いて検索し取得した被請求人のウェブサイトのアーカイブであり、乙８の２ページ目には、電子ドラムセットの「ＳＴＵＤＩＯ」が掲載されている。乙８及び乙９は、２０１７年４月８日時点及び同年６月９日時点の当該ページの表示状態を示すものである。
　なお、「Ｗａｙｂａｃｋ　Ｍａｃｈｉｎｅ」は、「インターネットアーカイブ」によって保存された過去のウェブサイトを閲覧できるサービス（ツール）であり（乙１０）、国立国会図書館のインターネット資料収集保存事業でも利用しているツールであることから、信頼性は高いといえる。
　以上のとおり、本件要証期間内に、被請求人が、電子ドラムセットの「ＳＴＵＤＩＯ」を自身のウェブサイトに掲載していたことが証明されたものと考える。そして、当該ウェブサイトではセット内容の詳細と販売価格を明示していることから、乙８及び乙９における被請求人の行為は、商標法第２条第３項第８号に規定する「商品若しくは役務に関する広告、価格表若しくは取引書類に標章を付して展示し、若しくは頒布し、又はこれらを内容とする情報に標章を付して電磁的方法により提供する行為」に該当する。
第４　当審の判断
　１　認定事実
　被請求人提出に係る証拠及び同人の主張によれば、次の事実が認められる。
（１）インターネットアーカイブに保存され、「Ｗａｙｂａｃｋ　Ｍａｃｈｉｎｅ」を用いて取得された平成２９年（２０１７年）４月８日及び同年６月９日時点における本件商標の商標権者（以下「商標権者」という。）のウェブサイト（これらをまとめて、以下「本件ウェブサイト」という。）には、「ＣＨＯＯＳＥ　ＹＯＵＲ　ＳＴＹＬＥ」の見出しの下、「ＳＴＵＤＩＯ」の欧文字からなる商標（以下「使用商標」という。）が表示され、また、使用商標の表示の下、電子ドラムセット（以下「本件ドラムセット」という。）の画像、本件ドラムセットを構成する１６品目の型番、種類及び価格並びに本件ドラムセットの合計価格が記載されている。そして、本件ドラムセットを構成する当該１６品目には、ドラムトリガーモジュールである「ＤＴＸ９００Ｍ」が含まれている（乙８及び乙９）。
（２）商標権者の令和２年（２０２０年）２月１１日を印刷日とするウェブサイト（抜粋）には、「ＣＨＯＯＳＥ　ＹＯＵＲ　ＳＴＹＬＥ」の見出しの下、使用商標が表示され、本件ドラムセットの画像及びその記載内容を前記（１）と同じくする本件ドラムセットが掲載されている（乙３）。
（３）商標権者は、遅くとも平成２７年（２０１５年）９月までには、ドラムトリガーモジュールである「ＤＴＸ９００Ｍ」を発売した。
　「ＤＴＸ９００Ｍ」は、ソングデータをプリセットで８７曲内蔵している。当該ソングデータは、２つのシーケンストラックとヘッダーデータとで構成され、シーケンストラックにはＭＩＤＩシーケンスデータが、ヘッダーデータにはテンポ、拍子及び音量その他の情報が入っている。「ＤＴＸ９００Ｍ」では、ソングを選択すると、最初に当該ヘッダーデータが読み込まれ、ソングの再生をスタートすると、これらのデータがＤＴＸ９００Ｍの内蔵音源に送られ、データに従って音が鳴るという仕組みとなっている（乙４）。
（４）前記（１）及び（２）によれば、商標権者は、本件ドラムセットを自身のウェブサイトに、平成２９年（２０１７年）４月８日及び同年６月９日に掲載していたことが推認でき、また、令和２年（２０２０年）２月１１日に掲載したことが認められる。
　２　判断
　前記１において認定した事実によれば、以下のとおり判断できる。
（１）使用商標について
　本件商標は、別掲のとおり、「ＳＴＵＤＩＯ」の欧文字と「スタジオ」の片仮名を二段に横書きしてなるものであるところ、下段の片仮名は上段の欧文字の読みを表したものと理解されることから、本件商標の欧文字と片仮名は「スタジオ」の称呼及び観念を共通にする。一方、使用商標である「ＳＴＵＤＩＯ」は、本件商標の欧文字部分とそのつづりを共通にするものであるから、本件商標が二段併記等の構成からなる場合であって、上段及び下段等の各部が観念を同一にするときの、一方の使用であり、本件商標と社会通念上同一の商標と認められる。
（２）使用者について
　使用商標が表示されている本件ウェブサイトは、商標権者のウェブサイトであるから、使用商標の使用者は商標権者である。
（３）使用商品について
　前記１（１）及び（３）によれば、本件ウェブサイトに掲載されているドラムトリガーモジュール「ＤＴＸ９００Ｍ」（以下「使用商品」という。）は、ソングデータを内蔵しており、ソングを選択して再生させると、当該ソングデータに含まれるテンポ、拍子及び音量その他の情報に応じて内蔵音源より音が鳴るものであるから、使用商品は、電子楽器用自動演奏プログラムを記憶させた電子回路を内蔵したドラムトリガーモジュールというのが相当であり、このような電子回路は、単なる部品として組み込まれているものではなく、ドラムトリガーモジュールの機能にかかわるものとして組み込まれていることを併せ考慮すれば、使用商品は、取消請求商品である「電子楽器用自動演奏プログラムを記憶させた電子回路及びＣＤ−ＲＯＭ」に該当する商品というのが相当である。
（４）使用時期及び使用行為について
　本件ウェブサイトには、使用商標の表示の下、本件ドラムセットが掲載されており、その画像及び構成品の詳細、型番、価格等の商品情報が掲載されており、当該商品は、その販売のために商標権者のウェブサイトに掲載されていたものといえるから、本件ウェブサイトにおいて、本件ドラムセットが商標権者により販売のために広告されていたものと推認することができる。
　そして、本件ドラムセットは、上記のとおり、使用商品を含む１６品目から構成されるものであり、各商品ごとに、型番、価格が記載されていることからすれば、各商品がそれぞれ単独で商取引の対象として販売されているとみるのが自然である。
　そうすると、本件ウェブサイトにおいて、使用商標の表示の下、本件ドラムセットとして、これを構成する使用商品を含む各商品について、その商品ごとに、販売を前提とした情報を掲載していたことからすれば、本件ウェブサイトは、本件ドラムセットの広告であるとともに、これを構成する各商品、すなわち、使用商品に関する広告ということができるものである。
　そして、本件ウェブサイトが存在した平成２９年（２０１７年）４月８日及び同年６月９日は、本件要証期間内である。
（５）小括
　以上によれば、被請求人である商標権者は、本件要証期間内において、取消請求商品である「電子楽器用自動演奏プログラムを記憶させた電子回路及びＣＤ−ＲＯＭ」の範ちゅうに属する使用商品に関する広告を内容とする情報に本件商標と社会通念上同一と認められる商標を付して電磁的方法により提供したと認めることができる。
　そして、この行為は、商標法第２条第３項第８号にいう「商品に関する広告を内容とする情報に標章を付して電磁的方法により提供する行為」に該当する。
　３　請求人の主張について
　請求人は、被請求人が使用を立証しようとしている商品は「電子ドラムのセット」であって取消請求商品ではない旨主張するが、使用商品が取消請求商品に該当することは、前記２（３）で説示したとおりである。
　したがって、請求人の主張は、採用できない。
　４　むすび
　以上のとおり、被請求人は、本件審判の請求の登録前３年以内に日本国内において商標権者が、その請求に係る商品に含まれる使用商品について、本件商標と社会通念上同一と認められる商標の使用をしたことを証明したということができる。
　したがって、本件商標の登録は、商標法第５０条の規定により取り消すことはできない。
　よって、結論のとおり審決する。